(57)【要約】【課題】ウェブページ内から所望の情報を容易に発見することができる表示制御装置を提供する。【解決手段】表示部４１０と、表示部４１０にウェブページを表示させるウェブ表示制御部５２２３と、ウェブページのスクロール指示を受け付けるスクロール指示受付部５２２５と、スクロール指示に応じてウェブページを予め定められた標準速度でスクロールして表示するスクロール表示制御部５２２６と、検索キーワードの入力を受け付けるキーワード受付部５２２７と、ウェブページ内から検索キーワードが使用されている箇所を検索する（ページ内検索処理）ページ内検索部５２２４とを備え、スクロール表示制御部５２２６は、ページ内検索処理が行われ検索キーワードが使用されている箇所が表示部４１０に表示されている場合、スクロールする速度を前記標準速度よりも遅い閲覧速度に設定する表示制御装置。【選択図】図３
2011170775.tif 000002
【特許請求の範囲】
【請求項１】
表示部と、
前記表示部にウェブページを表示させるウェブ表示制御部と、
前記ウェブ表示制御部により前記表示部に表示されたウェブページのスクロールを指示するスクロール指示を受け付けるスクロール指示受付部と、
前記スクロール指示受付部によって受け付けられたスクロール指示に応じて、前記ウェブ表示制御部により前記表示部に表示されたウェブページを予め定められた標準速度でスクロールして前記表示部に表示するスクロール表示制御部と、
前記ウェブページ内で検索するための検索キーワードの入力を受け付けるキーワード受付部と、
前記ウェブページ内から前記キーワード受付部によって受け付けられた検索キーワードが使用されている箇所を検索するページ内検索処理を行うページ内検索部と、
を備え、
前記スクロール表示制御部は、前記ページ内検索部により前記ページ内検索処理が行われ、前記検索キーワードが使用されている箇所が前記表示部に表示されている場合に、前記表示部に表示されたウェブページをスクロールする速度を前記標準速度よりも遅い閲覧速度に設定する表示制御装置。
【請求項２】
前記キーワード受付部によって受け付けられた一又は複数の検索キーワードを前記表示部に選択可能に表示するキーワード表示制御部を更に備え、
前記スクロール表示制御部は、前記キーワード表示制御部により選択可能に表示された検索キーワードのうち、一または複数の検索キーワードが選択されると、当該選択された検索キーワードが使用されている箇所が前記表示部に表示されている場合にのみ、前記表示部に表示されたウェブページをスクロールする速度を前記閲覧速度に設定する請求項１記載の表示制御装置。
【請求項３】
前記スクロール表示制御部は、前記検索キーワードが使用されている箇所が前記表示部に表示されている場合におけるスクロールする速度を前記標準速度になるようにユーザに設定操作させるための速度設定受付部を前記表示部に表示する請求項１または２記載の表示制御装置。
【請求項４】
前記スクロール表示制御部は、前記検索キーワードが使用されている箇所が前記表示部に表示されている場合におけるスクロールする速度が前記閲覧速度に設定されている場合に、前記速度設定受付部を操作可能に表示する請求項３に記載の表示制御装置。
【請求項５】
印刷対象データに基づいて記録紙に画像を記録する記録部と、
請求項１から４の何れかに記載の表示制御装置と、
を備えた画像形成装置。
【請求項６】
表示部を備えてなる表示制御装置において、前記表示部に表示されたウェブページをスクロールして表示する表示制御方法であって、
前記表示部にウェブページを表示させるウェブ表示制御ステップと、
前記ウェブ表示制御ステップにより前記表示部に表示されたウェブページのスクロールを指示するスクロール指示を受け付けるスクロール指示受付ステップと、
前記スクロール指示受付ステップによって受け付けられたスクロール指示に応じて、前記ウェブ表示制御ステップにより前記表示部に表示されたウェブページを予め定められた標準速度でスクロールして前記表示部に表示するスクロール表示制御ステップと、
前記ウェブページ内で検索するための検索キーワードの入力を受け付けるキーワード受付ステップと、
前記ウェブページ内から前記キーワード受付ステップによって受け付けられた検索キーワードが使用されている箇所を検索するページ内検索処理を行うページ内検索ステップと、を備え、
前記スクロール表示制御ステップは、前記ページ内検索ステップにより前記ページ内検索処理が行われ、前記検索キーワードが使用されている箇所が前記表示部に表示されている場合に、前記表示部に表示されたウェブページをスクロールする速度を前記標準速度よりも遅い閲覧速度に設定する表示制御方法。
【請求項７】
表示制御装置に内蔵されるコンピュータを、
表示部と、
前記表示部にウェブページを表示させるウェブ表示制御部と、
前記ウェブ表示制御部により前記表示部に表示されたウェブページのスクロールを指示するスクロール指示を受け付けるスクロール指示受付部と、
前記スクロール指示受付部によって受け付けられたスクロール指示に応じて、前記ウェブ表示制御部により前記表示部に表示されたウェブページを予め定められた標準速度でスクロールして前記表示部に表示するスクロール表示制御部と、
前記ウェブページ内で検索するための検索キーワードの入力を受け付けるキーワード受付部と、
前記ウェブページ内から前記キーワード受付部によって受け付けられた検索キーワードが使用されている箇所を検索するページ内検索処理を行うページ内検索部として機能し、
さらに、前記スクロール表示制御部が、前記ページ内検索部により前記ページ内検索処理が行われ、前記検索キーワードが使用されている箇所が前記表示部に表示されている場合に、前記表示部に表示されたウェブページをスクロールする速度を前記標準速度よりも遅い閲覧速度に設定するように機能させる表示制御プログラム。
【発明の詳細な説明】
【技術分野】
【０００１】
本発明は、表示制御装置、画像形成装置、表示制御方法及び表示制御プログラムに関し、特に、表示部に表示されたウェブページ内をキーワード検索する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザに対して操作案内を表示するために、ＬＣＤ（Liquid Crystal Display）等からなる表示部が設けられている。そして、下記特許文献１に示されるように、ＭＦＰ（Multi Function Peripheral、複合機）をインターネット接続し、当該表示部に、上記操作案内に加えてインターネット上のウェブページを表示可能にしたものが提案されている。
【０００３】
また、下記特許文献２には、辞書記憶手段に記憶された見出語から、ユーザにより入力操作された文字列と先頭一致する見出語を検索して該当する見出語を表示部に一覧表示し、その中から所望の見出語を選択すべくユーザに上下にスクロール操作させる際のスクロール速度を制御する技術が開示されている。
【先行技術文献】
【特許文献】
【０００４】
【特許文献１】特開２００８−１５２３７０号公報
【特許文献２】特開２００７−９４９８７号公報
【発明の概要】
【発明が解決しようとする課題】
【０００５】
しかしながら、従来、画像形成装置には、上下左右に移動操作させるためのカーソルキーやタッチパネル等の簡易な移動操作をユーザに行わせるための操作部や、ウェブページのうちの一部しか表示することができない程度の表示範囲の小さい表示部が設けられているにすぎない。
【０００６】
したがって、ウェブページ内の上下左右に点在する情報の中から所望の情報を発見するには、当該操作部による簡易な移動操作によって、表示範囲の小さい表示部に表示されるウェブページを幾度となくスクロール操作する手間が必要であった。
【０００７】
そこで、本発明は、このような事情に鑑みてなされたものであり、ウェブページ内から所望の情報を発見することが容易な表示制御装置を提供することを目的とする。
【課題を解決するための手段】
【０００８】
本発明の一局面に係る表示制御装置は、表示部と、
前記表示部にウェブページを表示させるウェブ表示制御部と、
前記ウェブ表示制御部により前記表示部に表示されたウェブページのスクロールを指示するスクロール指示を受け付けるスクロール指示受付部と、
前記スクロール指示受付部によって受け付けられたスクロール指示に応じて、前記ウェブ表示制御部により前記表示部に表示されたウェブページを予め定められた標準速度でスクロールして前記表示部に表示するスクロール表示制御部と、
前記ウェブページ内で検索するための検索キーワードの入力を受け付けるキーワード受付部と、
前記ウェブページ内から前記キーワード受付部によって受け付けられた検索キーワードが使用されている箇所を検索するページ内検索処理を行うページ内検索部と、
を備え、
前記スクロール表示制御部は、前記ページ内検索部により前記ページ内検索処理が行われ、前記検索キーワードが使用されている箇所が前記表示部に表示されている場合に、前記表示部に表示されたウェブページをスクロールする速度を前記標準速度よりも遅い閲覧速度に設定する。
【０００９】
上記の構成によれば、ページ内検索部によりページ内検索処理を行い、ウェブページ内で検索キーワードが使用されている箇所を表示部に表示させるべく、ウェブ表示制御部により表示部に表示されたウェブページをスクロール操作する場合に、当該検索キーワードが使用されている箇所が表示部に表示されているときは、スクロール表示制御部により、予め定められた標準速度よりも遅い閲覧速度でウェブページがスクロールして表示部に表示される。
【００１０】
したがって、ユーザは、予め定められた速度（標準速度）よりも遅い速度（閲覧速度）でスクロールされるウェブページ内から、容易に所望の検索キーワードが使用されている箇所を閲覧することが可能となる。
【００１１】
また、前記キーワード受付部によって受け付けられた一又は複数の検索キーワードを前記表示部に選択可能に表示するキーワード表示制御部を更に備え、
前記スクロール表示制御部は、前記キーワード表示制御部により選択可能に表示された検索キーワードのうち、一または複数の検索キーワードが選択されると、当該選択された検索キーワードが使用されている箇所が前記表示部に表示されている場合にのみ、前記表示部に表示されたウェブページをスクロールする速度を前記閲覧速度に設定することが好ましい。
【００１２】
上記の構成によれば、キーワード表示制御部により選択可能に表示された検索キーワードのうち、一または複数の検索キーワードを選択すると、当該選択された検索キーワードが使用されている箇所が表示部に表示されている場合にのみ、スクロール表示制御部により、標準速度よりも遅い閲覧速度でウェブページがスクロールして表示部に表示される。
【００１３】
したがって、例えば、ある特定の検索キーワードについての閲覧が終了して、その他の検索キーワードが使用されている箇所を閲覧したい場合等、入力した検索キーワードのうちの一部の検索キーワードが使用されている箇所を閲覧したい場合に、キーワード表示制御部により選択可能に表示された検索キーワードから所望の検索キーワードを選択し、標準速度よりも遅い閲覧速度でスクロールされるウェブページ内から容易に、当該選択した所望の検索キーワードが使用されている箇所を閲覧することが可能となる。
【００１４】
また、前記スクロール表示制御部は、前記検索キーワードが使用されている箇所が前記表示部に表示されている場合におけるスクロールする速度を前記標準速度になるようにユーザに設定操作させるための速度設定受付部を前記表示部に表示することが好ましい。
【００１５】
上記の構成によれば、スクロール表示制御部により表示部に表示された速度設定受付部により、検索キーワードが使用されている箇所が表示部に表示されている場合におけるウェブページをスクロール操作する速度を、ユーザの希望に応じて柔軟に切り替えることができるようになる。
【００１６】
また、前記スクロール表示制御部は、前記検索キーワードが使用されている箇所が前記表示部に表示されている場合におけるスクロールする速度が前記閲覧速度に設定されている場合に、前記速度設定受付部を操作可能に表示することが好ましい。
【００１７】
スクロール表示制御部により、ウェブページをスクロールする速度が、標準速度または閲覧速度に設定されているかの如何にかかわらず、表示部に速度設定受付部が常に操作可能に表示されていると、ウェブページの一部の領域が遮られるため、ウェブページの視認性が悪くなる。
【００１８】
そこで、上記の構成によれば、スクロール表示制御部により、検索キーワードが使用されている箇所が表示部に表示されている場合におけるスクロールする速度が標準速度よりも遅い閲覧速度に設定されているときに、速度設定受付部が操作可能に表示されるため、既にウェブページが標準速度でスクロールされている場合に、速度設定受付部が操作可能に表示されないようにして、ウェブページの視認性を高めることができるようになる。
【００１９】
また、本発明の一局面に係る画像形成装置は、印刷対象データに基づいて記録紙に画像を記録する記録部と、請求項１から４の何れかに記載の表示制御装置と、を備える。
【００２０】
上記の構成によれば、請求項１から４の何れかに記載の発明における効果を奏することができる。
【００２１】
また、本発明の一局面に係る表示制御方法は、表示部を備えてなる表示制御装置において、前記表示部に表示されたウェブページをスクロールして表示する表示制御方法であって、
前記表示部にウェブページを表示させるウェブ表示制御ステップと、
前記ウェブ表示制御ステップにより前記表示部に表示されたウェブページのスクロールを指示するスクロール指示を受け付けるスクロール指示受付ステップと、
前記スクロール指示受付ステップによって受け付けられたスクロール指示に応じて、前記ウェブ表示制御ステップにより前記表示部に表示されたウェブページを予め定められた標準速度でスクロールして前記表示部に表示するスクロール表示制御ステップと、
前記ウェブページ内で検索するための検索キーワードの入力を受け付けるキーワード受付ステップと、
前記ウェブページ内から前記キーワード受付ステップによって受け付けられた検索キーワードが使用されている箇所を検索するページ内検索処理を行うページ内検索ステップと、を備え、
前記スクロール表示制御ステップは、前記ページ内検索ステップにより前記ページ内検索処理が行われ、前記検索キーワードが使用されている箇所が前記表示部に表示されている場合に、前記表示部に表示されたウェブページをスクロールする速度を前記標準速度よりも遅い閲覧速度に設定する。
【００２２】
上記の構成によれば、請求項１に記載の発明における効果を奏することができる。
【００２３】
また、本発明の一局面に係る表示制御プログラムは、表示制御装置に内蔵されるコンピュータを、
表示部と、
前記表示部にウェブページを表示させるウェブ表示制御部と、
前記ウェブ表示制御部により前記表示部に表示されたウェブページのスクロールを指示するスクロール指示を受け付けるスクロール指示受付部と、
前記スクロール指示受付部によって受け付けられたスクロール指示に応じて、前記ウェブ表示制御部により前記表示部に表示されたウェブページを予め定められた標準速度でスクロールして前記表示部に表示するスクロール表示制御部と、
前記ウェブページ内で検索するための検索キーワードの入力を受け付けるキーワード受付部と、
前記ウェブページ内から前記キーワード受付部によって受け付けられた検索キーワードが使用されている箇所を検索するページ内検索処理を行うページ内検索部として機能し、
さらに、前記スクロール表示制御部が、前記ページ内検索部により前記ページ内検索処理が行われ、前記検索キーワードが使用されている箇所が前記表示部に表示されている場合に、前記表示部に表示されたウェブページをスクロールする速度を前記標準速度よりも遅い閲覧速度に設定するように機能させる。
【００２４】
上記の構成によれば、請求項１に記載の発明における効果を奏することができる。
【発明の効果】
【００２５】
本発明によれば、ウェブページ内から所望の情報を発見することが容易な表示制御装置を提供することが可能になる。
【図面の簡単な説明】
【００２６】
【図１】本発明に係る表示制御装置を備える画像形成装置の一例である複合機の構成を示す側面概略図である。
【図２】複合機の制御ブロック図である。
【図３】複合機の制御ユニットの構成を抽出して示す図である。
【図４】スクロール表示制御部がウェブページ内で検索キーワードが使用されている箇所が表示部に表示されているかを判断する一例を示す図である。
【図５】複合機における表示部の表示制御の第１実施形態を示すフローチャートである。
【図６】初期操作画面の例を示す図である。
【図７】ウェブページ表示画面の例を示す図である。
【図８】検索キーワード入力画面の例を示す図である。
【図９】キーボード画面の例を示す図である。
【図１０】キーボード画面の例を示す図である。
【図１１】キーワード表示制御部により一又は複数の検索キーワードが表示部に選択可能に表示される例と、スクロール表示制御部により速度設定受付部が表示部に表示される例と、を示す図である。
【発明を実施するための形態】
【００２７】
以下、本発明に係る表示制御装置を備える画像形成装置の実施形態を説明する。図１は、本発明に係る表示制御装置を備える画像形成装置の一実施形態である複合機の構成を示す側面概略図である。
【００２８】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部５００と、原稿読み取り部５００の上部に配設された原稿給送部６００とから構成される。
【００２９】
操作部４００は、ＬＣＤ（Liquid Crystal Display）等からなる表示部（表示手段）４１０と、ユーザから操作指示が入力される操作キー部４３０を備える。操作キー部４３０は、スクロールキーやテンキー等を備える。
【００３０】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００３１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００３２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００３３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００３４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３５】
図２は、複合機１の制御ブロック図である。複合機１は、スキャナ部１１、画像処理部２１、記録部３１、操作部４００、制御ユニット５０、ネットワークＩ／Ｆ（インターフェース）部７１、及びＨＤＤ（ハードディスクドライブ）７４を備える。
【００３６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００３７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００３８】
記録部３１は、給紙カセット２０１及び給紙ローラ２０２等（図１）から構成される用紙搬送部３２、感光体ドラム２０４、露光装置２０６及び現像装置２０７等（図１）から構成される画像形成部３３、転写ローラ２０３等（図１）から構成される転写部３４、及び定着ローラ２０８等（図１）から構成される定着部３５を含む。
【００３９】
記録部３１は、スキャナ部１１により読み取られた印刷対象データ（原稿データ）を用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００４０】
ネットワークＩ／Ｆ部７１は、ネットワークインタフェース等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００４１】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー）をタッチすることで種々の機能の実行指令を入力することが可能である。操作キー部４３０は、上述のようにスクロールキーやテンキー等を有する。
【００４２】
尚、スクロールキーとは、例えば、上下左右の４方向に対応する４つのスクロールキーを含み、４つのスクロールキーのうち押下されたスクロールキーが示す方向に、表示部４１０に表示された操作画面をスクロールさせる指示を入力するための操作キーを示すものである。
【００４３】
制御ユニット５０は、制御部５２と、表示画像データ記憶部５３とを備える。
【００４４】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。
【００４５】
表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００４６】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００４７】
メインコントローラユニット５２１は、動作制御部５２１１と、プロキシサーバ５２１３とを備える。
【００４８】
動作制御部５２１１は、複合機１の各部（スキャナ部１１，画像処理部２１、記録部３１等）の動作制御を司る。
【００４９】
プロキシサーバ５２１３は、ウェブブラウザ５２２１とインターネット網の間に介在してインターネットとの接続を行う。プロキシサーバ５２１３は、イーサネット（登録商標）等を介してインターネットに接続する。
【００５０】
表示制御ユニット５２２は、ウェブブラウザ５２２１と、パネルアプリケーション５２２２とを備える。
【００５１】
ウェブブラウザ５２２１は、表示部４１０にインターネット上のウェブページや、インターネット上のウェブページと同じ形式（例えば、ＨＴＭＬ形式）で記載された複合機１の各操作に関するヘルプ情報等の、複合機１に予め記憶されたウェブページを表示させるために必要な処理等を実行する。
【００５２】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００５３】
ウェブブラウザ５２２１は、ウェブ表示制御部５２２３と、スクロール指示受付部５２２５と、スクロール表示制御部５２２６と、ページ内検索部５２２４と、キーワード受付部５２２７と、を備える。
【００５４】
ウェブ表示制御部５２２３は、表示部４１０にウェブページを表示させるために必要な処理を行う。
【００５５】
スクロール指示受付部５２２５は、ウェブ表示制御部５２２３により表示部４１０に表示されたウェブページのスクロールを指示するスクロール指示を受け付ける。尚、スクロール指示は、上述した操作キー部４３０に備えられたスクロールキーや、タッチパネル機能により、表示部４１０にスクロール操作可能に表示されたスクロールバーをタッチしてスクロールさせる等の方法で入力される。
【００５６】
スクロール表示制御部５２２６は、スクロール指示受付部５２２５によって受け付けられたスクロール指示に応じて、ウェブ表示制御部５２２３により表示部４１０に表示されたウェブページを予め定められた標準速度でスクロールして表示部４１０に表示する。
【００５７】
尚、ここにいう「標準速度」は、スクロール指示受付部５２２５によってスクロール指示が受け付けられた際にウェブページをスクロールさせる移動距離を示すものであり、例えば、表示部４１０に表示されるウェブブラウザ５２２１の各種機能の初期設定を行う画面で入力された値が設定される等の方法で、予め設定されている。
【００５８】
キーワード受付部５２２７は、ウェブページ内で検索するための検索キーワードの入力を受け付ける。例えば、ユーザからのページ内検索処理の実行指示の入力がタッチパネル機能により受け付けられると、ウェブブラウザ５２２１は、表示部４１０に検索キーワードを入力するための検索キーワード入力画面を表示し、キーワード受付部５２２７は、当該検索キーワード画面で入力された検索キーワードを受け付けるように構成されている。
【００５９】
ページ内検索部５２２４は、ウェブページ内からキーワード受付部５２２７によって受け付けられた検索キーワードが使用されている箇所を検索するページ内検索処理を行う。
【００６０】
例えば、ページ内検索部５２２４は、ページ内検索処理を行った結果、当該ウェブページ内に当該検索キーワードが使用されている箇所が存在する場合には、当該検索キーワードが使用されている箇所を、ウェブページの左上端を基準点とした場合の当該箇所の座標情報、或いは、当該箇所が先頭文字から何文字目であるか等の位置情報と、当該検索キーワードと組み合わせた形でＲＡＭに一旦記憶するように構成されている。
【００６１】
例えば、図４に示すように、キーワード受付部５２２７により検索キーワードＫ１１と検索キーワードＫ１２の入力が受け付けられ、ページ内検索部５２２４によりウェブページＷＰのページ内検索処理が行われた場合、ページ内検索部５２２４は、ウェブページＷＰの左上端を基準点Ｂとした場合の、検索キーワードＫ１１が使用されている箇所の位置情報Ｐ１１及び検索キーワードＫ１２が使用されている箇所の位置情報Ｐ１２を、それぞれ検索キーワードＫ１１及び検索キーワードＫ１２と組み合わせた形でＲＡＭに一旦記憶するように構成されている。
【００６２】
さらに、スクロール表示制御部５２２６は、ページ内検索部５２２４によりページ内検索処理が行われ、検索キーワードが使用されている箇所が表示部４１０に表示されている場合に、表示部４１０に表示されたウェブページをスクロールする速度を標準速度よりも遅い閲覧速度に設定するように構成されている。
【００６３】
例えば、図４においては、表示部４１０に表示されているウェブページＷＰが図中の破線部で示されており、スクロール表示制御部５２２６は、ウェブページＷＰの左上端を基準点Ｂとした場合に、表示部４１０に表示されているウェブページＷＰ（破線部）の左上端が基準点Ｂから下方向及び右方向にどの程度スクロールされた位置まで移動されたかを示す移動情報ＬＨ，ＬＷをＲＡＭに設定するように構成されている。
【００６４】
さらに、スクロール表示制御部５２２６は、当該移動情報ＬＨ，ＬＷと、上述のページ内検索部５２２４によるページ内検索処理の実行によってＲＡＭに記憶された位置情報Ｐ１１，Ｐ１２と検索キーワードＫ１１，Ｋ１２との組み合わせと、表示部４１０の高さＷ及び幅Ｈとを用いて、検索キーワードＫ１１，Ｋ１２が使用されている箇所（位置情報Ｐ１１，Ｐ１２）が、表示部４１０の高さＷ及び幅Ｈの領域内に表示されているか否かを判断することで、検索キーワードが使用されている箇所が表示部４１０に表示されているか否かを判断するように構成されている。
【００６５】
ここで、スクロール表示制御部５２２６は、検索キーワードＫ１１或いは検索キーワードＫ１２が表示部４１０に表示されていると判断した場合は、ウェブページをスクロールする速度を標準速度よりも遅い速度である閲覧速度に設定するように構成されている。
【００６６】
尚、上述の例に限らず、スクロール表示制御部５２２６は、右上端を基準点として、表示部４１０に表示されているウェブページの右上端が、当該基準点から下方向及び左方向にどの程度スクロールされた位置にまで移動されたかを示す移動情報をＲＡＭに設定するように構成してもよく、つまり、検索キーワードが使用されている箇所が表示部４１０に表示されているか否かを判断する方法は、設計事項として適宜変更して構成してもよい。
【００６７】
本発明の一実施形態に係る表示制御装置は、例えば、上述の制御ユニット５０及び表示部４１０を備えてなる。
【００６８】
尚、制御部５２が、ＣＰＵからなるメインコントローラユニット５２１と、ＡＳＩＣからなる表示制御ユニット５２２とで構成されている例を上述したが、これに限らず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ５２２１として機能してもよいし、これに加えて更に、パネルアプリケーション５２２２、動作制御部５２１１及びプロキシサーバ５２１としても機能するものであってもよい。
【００６９】
次に、複合機１における表示部４１０の表示制御の第１実施形態を説明する。
【００７０】
図５に示すように、ユーザが、複合機１の使用開始時に当該複合機１の主電源をＯＮにすると（Ｓ１；ＹＥＳ）、パネルアプリケーション５２２２は、表示画像データ記憶部５３から、初期操作画面に対応する画像データを読み出して、図６に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１６）。
【００７１】
初期画面４１０１（図６）は、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ５２２１や動作制御部５２１１等（図３）に受け付けられる。
【００７２】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３；ＮＯ，Ｓ１６；ＹＥＳ）、動作制御部５２１１は、指示された動作、例えばコピー動作を実行する（Ｓ１７）。尚、操作部４００がユーザから何れの動作実行指示も受け付けない場合は（Ｓ１７；ＮＯ）、処理はステップＳ２に戻り、パネルアプリケーション５２２２が初期画面４１０１を表示部４１０に表示させ、操作部４００がユーザからの各種動作実行指示の入力を待機する状態が継続する。
【００７３】
一方、ユーザにより、初期画面４１０１において、ブラウザキー１０５が押下され、タッチパネル機能によりウェブ表示制御部５２２３にウェブページ表示指示が受け付けられた場合は（Ｓ３；ＹＥＳ）、ウェブ表示制御部５２２３は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得する等して、例えば図７に示すようなウェブページ表示画面４１０３を表示部４１０に表示する（Ｓ４、ウェブ表示制御ステップ）。即ち、ウェブ表示制御部５２２３は、パネルアプリケーション５２２２によって表示部４１０に表示されている初期画面４１０１を、上記ウェブページ表示画面４１０３に切り換える。
【００７４】
このとき、ウェブ表示制御部５２２３は、ウェブページ表示画面４１０３に、検索実行指示受付ボタン（Search キー）Ｂ３を表示させる。この検索実行指示受付ボタンＢ３は、表示部４１０が備えるタッチパネル機能により、ユーザから、ページ内検索の検索実行指示の入力を受け付けるための画像からなるボタンである。
【００７５】
さらに、ウェブ表示制御部５２２３は、ウェブページ表示画面４１０３において、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、ユーザが指で触れやすい程度の大きさに設定されている。尚、上記のように、操作キー部４３０に備えられたスクロールキーを操作することで、ウェブページのスクロール指示を入力するように構成してもよい。
【００７６】
上記のように、ウェブ表示制御部５２２３が、ウェブページ表示画面４１０３を表示部４１０に表示させているときに、ユーザにより検索実行指示受付ボタンＢ３が押下され、タッチパネル機能により検索実行指示が受け付けられると（Ｓ５；ＹＥＳ）、ウェブブラウザ５２２１は、ユーザから検索キーワードの入力を受け付けるための検索キーワード入力画面を、表示部４１０に表示されているウェブページ上に重ねて表示する（Ｓ６）。
【００７７】
例えば、ウェブブラウザ５２２１は、当該検索キーワード入力画面として、図８に示すような検索キーワード入力画面Ｇ１を表示させる。ウェブブラウザ５２２１は、上記検索キーワード入力画面Ｇ１に入力ボタンＢ６を表示する。このとき、ユーザが当該入力ボタンＢ６を押下すると、ウェブブラウザ５２２１は、タッチパネル機能によりキーボート画面の表示指示の入力を受け付け、当該表示指示に基づいて図９及び図１０に示すようなキーボードを示す画像からなるキーボード画面Ｇ４を表示部４１０に表示させる。
【００７８】
ウェブブラウザ５２２１は、ユーザにより当該キーボード画面Ｇ４に表示されている各文字キー表示部分が押下されると、タッチパネル機能により、押下された箇所の文字キーに対応付けられた文字又は記号の入力を受け付け、当該入力された文字又は記号を検索キーワード入力域Ｂ８に表示する。
【００７９】
尚、キーボード画面Ｇ４は、例えば、大文字入力画面Ｇ４０（図９）と小文字入力画面Ｇ４０’（図１０）とを有している。例えば、ウェブブラウザ５２２１は、キーボード画面Ｇ４の表示時に、初期画面として大文字入力画面Ｇ４０を最初に表示部４１０に表示する。この大文字入力画面Ｇ４０において「小文字」ボタンＧ４４がユーザにより押下され、タッチパネル機能によりウェブブラウザ５２２１に画面切替指示が受け付けられると、ウェブブラウザ５２２１は、表示部４１０の表示画面を小文字入力画面Ｇ４０’に切り替える。また、この小文字入力画面Ｇ４０’において「大文字」ボタンＧ４３がユーザにより押下され、タッチパネル機能によりウェブブラウザ５２２１に画面切替指示が受け付けられると、ウェブブラウザ５２２１は、表示部４１０の表示画面を大文字入力画面Ｇ４０に切り替える。
【００８０】
大文字入力画面Ｇ４０及び小文字入力画面Ｇ４０’では、ユーザにより入力文字ボタンＧ４１が押下され、タッチパネル機能によりウェブブラウザ５２２１に入力文字切替指示が受け付けられると、ウェブブラウザ５２２１は、入力文字ボタンＧ４１から下方に向けて、入力文字各種を示す項目が並んでなる入力文字メニューボタンＭ１をプルダウン表示する。また、ユーザにより文字入力方式切替ボタンＧ４２が押下され、タッチパネル機能によりウェブブラウザ５２２１に文字入力方式切替指示が受け付けられると、ウェブブラウザ５２２１は、文字入力方式切替ボタンＧ４２から下方に向けて、文字入力方式各種を示す項目が並んでなる入力方式メニューボタンＭ２をプルダウン表示する。
【００８１】
また、検索キーワード入力画面Ｇ１の表示時に、検索キーワード入力画面Ｇ１内に表示された「閉じる」キーＢ７（図８）がユーザによって押下されると、タッチパネル機能により検索終了の指示が受け付けられ（Ｓ７；ＹＥＳ）、処理はステップＳ４に戻り、ウェブ表示制御部５２２３が再び上記ウェブページを表示部４１０に表示させる。
【００８２】
検索キーワード入力画面Ｇ１の表示時に、検索終了指示が受け付けられることなく（Ｓ７；ＮＯ）、検索キーワード入力画面Ｇ１及びキーボード画面Ｇ４でユーザにより検索キーワードが入力され、検索キーワード入力画面Ｇ１内に表示された「検索」キーＢ９がユーザにより更に押下された場合は、タッチパネル機能により、ページ内検索を開始させる指示が受け付けられ、キーワード受付部５２２７により当該入力された検索キーワードが受け付けられる（Ｓ８、キーワード受付ステップ；ＹＥＳ）。
【００８３】
そして、ページ内検索部５２２４は、キーワード受付部５２２７で受け付けられた検索キーワードを用いてページ内検索処理を開始し、上述のように当該検索キーワードがウェブページ内で使用されている箇所の位置情報と当該検索キーワードとを組み合わせた形でＲＡＭに一旦記憶する（Ｓ９、ページ内検索ステップ）。
【００８４】
ここで、スクロール表示制御部５２２６は、ＲＡＭに記憶された上述の位置情報と検索キーワードとの組み合わせと、表示部４１０の高さ及び幅と、現時点でのウェブページの移動情報とから、当該入力された検索キーワードを有するウェブページ部分が表示部４１０に表示されるようにウェブページをスクロール移動させるための移動情報を算出し、当該算出した移動情報に基づいて、ウェブページをスクロールして表示部４１０に表示させる（Ｓ１０）。
【００８５】
尚、ステップＳ１０で表示部４１０に表示されるウェブページの一部が検索キーワード入力画面Ｇ１で見えなくなることを回避すべく、ウェブブラウザ５２２１は、上記のステップＳ８でページ内検索を開始させる指示が受け付けられた場合に、検索キーワード入力画面Ｇ１を閉じて非表示にし、タッチパネル機能によりユーザにより検索実行指示受付ボタンＢ３が再び押下されると、当該非表示にした検索キーワード入力画面Ｇ１を再表示するように構成されている。ただし、これに限らず、ウェブブラウザ５２２１は、検索キーワード入力画面Ｇ１をステップＳ７で検索終了の支持が受け付けられるまでの間、表示するように構成されていてもよい。
【００８６】
図５に戻り、スクロール表示制御部５２２６は、上述のように表示部４１０に表示されたウェブページ内に検索キーワードが使用されている箇所があると判断した場合は（Ｓ１１；ＹＥＳ）、スクロール速度を標準速度よりも遅い閲覧速度に設定する（Ｓ１２）。尚、表示部４１０に表示されたウェブページ内に検索キーワードが使用されている箇所がないと判断した場合は、次の処理ステップ（Ｓ１３）に移る。
【００８７】
続いて、スクロール指示受付部５２２５によりスクロール指示が受け付けられると（Ｓ１３、スクロール指示受付ステップ；ＹＥＳ）、スクロール表示制御部５２２６は、標準速度、または、ステップＳ１２で設定された閲覧速度で、ウェブページをスクロールして表示部４１０に表示し（Ｓ１４）、ステップＳ１１に戻る。
【００８８】
例えば、ユーザがウェブページ内の所望の情報を閲覧できた場合等、スクロール指示受付部５２２５により、ユーザからのスクロール指示が受け付けられない場合は（Ｓ１３、スクロール指示受付ステップ；ＮＯ）、ウェブページをスクロールして表示する必要がないものとして処理を終了する（Ｓ１５；ＹＥＳ）。尚、例えば、ウェブページ内の別の情報を閲覧すべくウェブページをスクロールして表示する場合等、再びウェブページをスクロールして表示する必要が生じた場合（Ｓ１５；ＮＯ）は、ステップＳ１３の処理に戻る。
【００８９】
即ち、上述の処理ステップＳ１０、Ｓ１１、Ｓ１２、及びＳ１４により、スクロール指示受付ステップ（Ｓ１３）によって受け付けられたスクロール指示に応じて、ウェブ表示制御ステップ（Ｓ４）により表示部４１０に表示されたウェブページを予め定められた速度でスクロールして表示部４１０に表示し、さらに、ページ内検索ステップ（Ｓ９）によりページ内検索処理が行われ、検索キーワードが使用されている箇所が表示部４１０に表示されている場合に、表示部４１０に表示されたウェブページをスクロールする速度を標準速度よりも遅い閲覧速度に設定するスクロール表示制御ステップが構成されている。
【００９０】
本構成によれば、ページ内検索部５２２４によりページ内検索処理を行い、ウェブページ内で検索キーワードが使用されている箇所を表示部４１０に表示させるべく、ウェブ表示制御部５２２３により表示部４１０に表示されたウェブページをスクロール操作する場合に、当該検索キーワードが使用されている箇所が表示部４１０に表示されているときは、スクロール表示制御部５２２６により、予め定められた標準速度よりも遅い閲覧速度でウェブページがスクロールして表示部４１０に表示される。
【００９１】
したがって、ユーザは、予め定められた速度（標準速度）よりも遅い速度（閲覧速度）でスクロールされるウェブページ内から、容易に且つ確実に所望の検索キーワードが使用されている箇所を閲覧することが可能となる。
【００９２】
上記の構成に加えて、図３に点線で示すように、キーワード受付部５２２７によって受け付けられた一又は複数の検索キーワードを表示部４１０に選択可能に表示するキーワード表示制御部５２２８を更に備え、スクロール表示制御部５２２６は、キーワード表示制御部５２２８により選択可能に表示された検索キーワードのうち、一または複数の検索キーワードが選択されると、当該選択された検索キーワードが使用されている箇所が表示部４１０に表示されている場合にのみ、表示部４１０に表示されたウェブページをスクロールする速度を閲覧速度に設定するように構成してもよい。
【００９３】
例えば、図１１に示すように、キーワード表示制御部５２２８は、上記のステップＳ９（図５）で、ページ内検索部５２２４によりページ内検索処理が実行され、上記のステップＳ１０（図５）で、スクロール表示制御部５２２６によりウェブページがスクロールして表示部４１０に表示される際に、キーワード受付部５２２７によって受け付けられた一又は複数の検索キーワードの一覧をタッチパネル機能によって選択可能にウェブページ画面４１０３の上部Ａ１に表示するようにして構成することができる。
【００９４】
当該構成に合わせて、スクロール表示制御部５２２６は、上記のステップＳ１１（図５）において、ウェブページ画面４１０３の上部Ａ１に選択可能に表示された検索キーワードの一覧から、一または複数の検索キーワードが選択されている場合は、当該選択された検索キーワードが使用されている箇所が表示部４１０に表示されていると判断したときに、上記のステップＳ１２（図５）の処理、即ち、表示部４１０に表示されたウェブページをスクロールする速度を閲覧速度に設定するようにして構成することができる。
【００９５】
本構成によれば、キーワード表示制御部５２２８により選択可能に表示された検索キーワードのうち、一または複数の検索キーワードが選択されると、当該選択された検索キーワードが使用されている箇所が表示部４１０に表示されている場合にのみ、スクロール表示制御部５２２６により、標準速度よりも遅い閲覧速度でウェブページがスクロールして表示部４１０に表示される。
【００９６】
したがって、例えば、ある特定の検索キーワードについての閲覧が終了して、その他の検索キーワードが使用されている箇所を閲覧したい場合等、入力した検索キーワードのうちの一部の検索キーワードが使用されている箇所を閲覧したい場合に、標準速度よりも遅い閲覧速度でスクロールされるウェブページ内から容易に且つ確実に、当該選択した所望の検索キーワードが使用されている箇所を閲覧することが可能となる。
【００９７】
更に、上記の構成に加えて、スクロール表示制御部５２２６は、検索キーワードが使用されている箇所が表示部４１０に表示されている場合におけるスクロールする速度を、標準速度になるようにユーザに設定操作させるための速度設定受付部を表示部４１０に表示するように構成してもよい。
【００９８】
例えば、図１１に示すように、スクロール表示制御部５２２６は、上記のステップＳ９（図５）で、ページ内検索部５２２４によりページ内検索処理が実行され、上記のステップＳ１０（図５）で、スクロール表示制御部５２２６によりウェブページがスクロールして表示部４１０に表示される際に、ウェブページ画面４１０３の下部Ａ２に速度設定ボタンＢ１０を表示するようにして構成することができる。尚、当該速度設定ボタンＢ１０は、ユーザにより押下される毎に選択状態と非選択状態を切り替えて表示するように構成されている。この場合、速度設定ボタンＢ１０が速度設定受付部の一例に相当している。
【００９９】
当該構成に合わせて、スクロール表示制御部５２２６は、上記のステップＳ１３において、スクロール指示受付部５２２５によりスクロール指示が受け付けられると、当該速度設定ボタンＢ１０が選択状態であるか非選択状態であるかを判断して、当該速度設定ボタンＢ１０が選択状態にある場合は、ウェブページをスクロールする速度を標準速度に設定し、一方、当該速度設定ボタンＢ１０が押下されていない場合は、そのまま後続するステップＳ１４（図５）の処理を実行するようにして構成することができる。
【０１００】
尚、速度設定受付部Ｂ１０の構成は、これに限らず、例えば、上記のスクロールする速度を変更するか否かをユーザに設定操作させる速度設定画面として構成し、当該構成に合わせて、スクロール表示制御部５２２６は、上記のステップＳ１０（図５）で、スクロール表示制御部５２２６によりウェブページがスクロールして表示部４１０に表示される際に当該速度設定画面をポップアップ表示し、上記のステップＳ１３において、スクロール指示受付部５２２５によりスクロール指示が受け付けられると、当該速度設定画面でユーザにより設定操作された内容を判断するように構成してもよい。
【０１０１】
本構成によれば、スクロール表示制御部５２２６により表示部４１０に表示された速度設定受付部Ｂ１０により、検索キーワードが使用されている箇所が表示部４１０に表示されている場合におけるウェブページをスクロール操作する速度を、ユーザの希望に応じて柔軟に切り替えることができるようになる。
【０１０２】
さらに、本構成に加えて、スクロール表示制御部５２２６は、検索キーワードが使用されている箇所が表示部４１０に表示されている場合におけるスクロールする速度が閲覧速度に設定されている場合に、速度設定受付部Ｂ１０を操作可能に表示し、それ以外の場合は速度設定部Ｂ１０を表示しないように構成しても構わない。
【０１０３】
例えば、スクロール表示制御部５２２６は、上記のステップＳ１２（図５）の直後であってステップＳ１３が行われる前に、速度設定受付部Ｂ１０を操作可能に表示するようにして構成することができる。
【０１０４】
スクロール表示制御部５２２６により、ウェブページをスクロールする速度が、標準速度または閲覧速度に設定されているかの如何にかかわらず、表示部４１０に速度設定受付部Ｂ１０が常に操作可能に表示されていると、ウェブページの一部の領域が遮られるため、ウェブページの視認性が悪くなる。
【０１０５】
しかし、本構成によれば、スクロール表示制御部５２２６により、検索キーワードが使用されている箇所が表示部４１０に表示されている場合におけるスクロールする速度が標準速度よりも遅い閲覧速度に設定されているときに、速度設定受付部Ｂ１０が操作可能に表示されるため、既にウェブページが標準速度でスクロールされている場合に、速度設定受付部Ｂ１０が操作可能に表示されないようにして、ウェブページの視認性を高めることができるようになる。
【０１０６】
尚、本発明は上記実施の形態の構成に限られず種々の変形が可能である。例えば、上述の実施形態では、ウェブブラウザ５２２１が、表示部４１０へのウェブページ表示処理、表示させたウェブページ内を検索する処理、検索エンジン記憶部の具備、検索実行指示受付ボタンＢ３の表示処理、選択キーＢ５の表示処理、選択された検索エンジンのウェブページへのアクセス及び検索結果の表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ５２２１は、上記各処理を実行可能なアプリケーション又は回路を包含する概念である。
【０１０７】
尚、上記各実施形態では、本発明に係る画像形成装置の一例を、すなわちスキャナ機能、ファクシミリ機能、プリンタ機能、コピー機能等を兼ね備えた複合機として説明したが、本発明に係る画像形成装置は複合機に限られず、他の画像形成装置（コピー機、ファクシミリ装置、スキャナ装置、プリンタ等）であっても構わない。
【０１０８】
尚、本発明は上記の実施形態の構成に限られず種々の変形が可能である。前記図１乃至図１１に示した構成及び処理は、本発明に係る実施形態の例示に過ぎず、本発明を前記実施形態に限定する趣旨ではない。
【符号の説明】
【０１０９】
１          複合機
３１        記録部
４１０      表示部
５０        制御ユニット
５２        制御部
５２２      表示制御ユニット
５２２１    ウェブブラウザ
５２２３    ウェブ表示制御部
５２２４    ページ内検索部
５２２５    スクロール指示受付部
５２２６    スクロール表示制御部
５２２７    キーワード受付部
５２２８    キーワード表示制御部
Ｂ１０    速度設定受付部
Ｓ４    ウェブ表示制御ステップ
Ｓ８    キーワード受付ステップ
Ｓ９    ページ内検索ステップ
Ｓ１０、Ｓ１１、Ｓ１２、Ｓ１４    スクロール表示制御ステップ
Ｓ１３    スクロール指示受付ステップ
【図１】
2011170775.tif 000003
【図２】
2011170775.tif 000004
【図３】
2011170775.tif 000005
【図４】
2011170775.tif 000006
【図５】
2011170775.tif 000007
【図６】
2011170775.tif 000008
【図７】
2011170775.tif 000009
【図８】
2011170775.tif 000010
【図９】
2011170775.tif 000011
【図１０】
2011170775.tif 000012
【図１１】
2011170775.tif 000013